(57)【要約】【課題】打球のスピン量をコントロールし易いゴルフクラブヘッドを提供すること。【解決手段】フェース部と、前記フェース部に形成され、トウ−ヒール方向に延びる複数のスコアラインと、前記フェース部に形成され、前記複数のスコアラインと平行に延びる複数の凸部と、前記フェース部に形成され、前記複数のスコアラインと平行に延びる複数の凹部と、を備えたゴルフクラブであり、前記複数の凸部の各凸部と前記複数の凹部の各凹部とは、前記トウ−ヒール方向と直交する方向に交互に形成され、前記複数の凸部は、複数の第一の凸部と、複数の第二の凸部とを含み、前記複数の第一の凸部の各頂部は、前記複数のスコアラインの各縁端を含む基準面と平行な第一の仮想面上に位置し、前記複数の第二の凸部の各頂部は、前記基準面と平行で前記第一の仮想面と異なる第二の仮想面上に位置している。【選択図】図２
2018183437.tif 000002
【特許請求の範囲】
【請求項１】
フェース部と、
前記フェース部に形成され、トウ−ヒール方向に延びる複数のスコアラインと、
前記フェース部に形成され、前記複数のスコアラインと平行に延びる複数の凸部と、
前記フェース部に形成され、前記複数のスコアラインと平行に延びる複数の凹部と、を備え、
前記複数の凸部の各凸部と前記複数の凹部の各凹部とは、前記トウ−ヒール方向と直交する方向に交互に形成され、
前記複数の凸部は、複数の第一の凸部と、複数の第二の凸部とを含み、
前記複数の第一の凸部の各頂部は、前記複数のスコアラインの各縁端を含む基準面と平行な第一の仮想面上に位置し、
前記複数の第二の凸部の各頂部は、前記基準面と平行で前記第一の仮想面と異なる第二の仮想面上に位置している、
ことを特徴とするゴルフクラブヘッド。
【請求項２】
請求項１に記載のゴルフクラブヘッドであって、
前記複数の凹部の各底部は、前記基準面と平行な第三の仮想面上に位置する平面である、
ことを特徴とするゴルフクラブヘッド。
【請求項３】
請求項１に記載のゴルフクラブヘッドであって、
前記第一の仮想面は、前記基準面と同一面であり、
前記第二の仮想面は、前記基準面から前記複数のスコアラインの底部側に離間した面である、
ことを特徴とするゴルフクラブヘッド。
【請求項４】
請求項１に記載のゴルフクラブヘッドであって、
前記複数の凹部の前記基準面に対する深さが２５μｍ以下である、
ことを特徴とするゴルフクラブヘッド。
【請求項５】
請求項１に記載のゴルフクラブヘッドであって、
前記複数の第一の凸部の各凸部と前記複数の第二の凸部の各凸部とは、前記トウ−ヒール方向と直交する方向に交互に形成されている、
ことを特徴とするゴルフクラブヘッド。
【請求項６】
請求項１に記載のゴルフクラブヘッドであって、
前記複数の凸部は、複数の第三の凸部を含み、
前記複数の第三の凸部の各頂部は、前記基準面と平行で前記第一の仮想面および前記第二の仮想面と異なる仮想面上に位置している、
ことを特徴とするゴルフクラブヘッド。
【請求項７】
請求項１に記載のゴルフクラブヘッドであって、
前記各凸部の前記トウ−ヒール方向と直交する方向の断面形状が矩形である、
ことを特徴とするゴルフクラブヘッド。
【請求項８】
請求項１に記載のゴルフクラブヘッドであって、
前記第一の仮想面および前記第二の仮想面は前記基準面から前記複数のスコアラインの底部側と反対側に離間した面である、
ことを特徴とするゴルフクラブヘッド。
【請求項９】
請求項８に記載のゴルフクラブヘッドであって、
前記複数の凹部の各底部は、前記基準面と同一面上に位置する、
ことを特徴とするゴルフクラブヘッド。
【発明の詳細な説明】
【技術分野】
【０００１】
本発明はゴルフクラブヘッドに関する。
【背景技術】
【０００２】
ゴルフクラブヘッドのフェース部に、スコアラインや細かい凹凸を形成することが提案されている（例えば特許文献１〜６）。スコアラインや細かい凹凸は打球のバックスピン量を増大させたり、或いは、雨天時やラフからのショットの場合に、打球のバックスピン量が著しく低減することを抑制する効果がある。
【先行技術文献】
【特許文献】
【０００３】
【特許文献１】特許第５２３７０１４号公報
【特許文献２】特開２００９−１５３９２２号公報
【特許文献３】特許第３９１９８６７号公報
【特許文献４】米国特許第９５３９４７７号明細書
【特許文献５】米国特許第９２１６３２８号明細書
【特許文献６】米国特許出願公開第２０１５／００２４８６８号明細書
【発明の概要】
【発明が解決しようとする課題】
【０００４】
上級者は打球のスピン量をコントロールし易いゴルフクラブヘッドを好む。従来のゴルフクラブヘッドはスピン量のコントロール性で改善の余地がある。
【０００５】
本発明の目的は、打球のスピン量をコントロールし易いゴルフクラブヘッドを提供することにある。
【課題を解決するための手段】
【０００６】
本発明によれば、
フェース部と、
前記フェース部に形成され、トウ−ヒール方向に延びる複数のスコアラインと、
前記フェース部に形成され、前記複数のスコアラインと平行に延びる複数の凸部と、
前記フェース部に形成され、前記複数のスコアラインと平行に延びる複数の凹部と、を備え、
前記複数の凸部の各凸部と前記複数の凹部の各凹部とは、前記トウ−ヒール方向と直交する方向に交互に形成され、
前記複数の凸部は、複数の第一の凸部と、複数の第二の凸部とを含み、
前記複数の第一の凸部の各頂部は、前記複数のスコアラインの各縁端を含む基準面と平行な第一の仮想面上に位置し、
前記複数の第二の凸部の各頂部は、前記基準面と平行で前記第一の仮想面と異なる第二の仮想面上に位置している、
ことを特徴とするゴルフクラブヘッドが提供される。
【発明の効果】
【０００７】
本発明によれば、打球のスピン量をコントロールし易いゴルフクラブヘッドを提供することができる。
【図面の簡単な説明】
【０００８】
【図１】本発明の一実施形態に係るゴルフクラブヘッドの外観図。
【図２】スコアライン、凸部および凹部の断面図及び部分拡大図。
【図３】（Ａ）および（Ｂ）は凸部および凹部の形成例の説明図。
【図４】別例の凸部および凹部の断面図及び部分拡大図。
【図５】別例の凸部および凹部の断面図及び部分拡大図。
【図６】別例の凸部および凹部の断面図。
【発明を実施するための形態】
【０００９】
＜第一実施形態＞
図１は本発明の一実施形態に係るゴルフクラブヘッドＡの外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドの製造に好適である。具体的には、ロフト角が３０度以上７０度以下、ヘッド重量が２４０ｇ以上３２０ｇ以下のゴルフクラブヘッドの製造に好適である。しかし、本発明はウッド型やユーティリティー型（ハイブリッド型）のゴルフクラブヘッドの製造にも適用可能である。
【００１０】
ゴルフクラブヘッドＡは、フェース部１及びホゼル部５を備える。フェース部１はゴルフボールを打撃する打撃面を形成する。ホゼル部５には不図示のシャフトが装着される。図１において、矢印ｄ２はトウ−ヒール方向を示し、Ｔはトウ側、Ｈはヒール側を示している。矢印ｄ１はトウ−ヒール方向と直交する方向であって、打撃面に沿う方向を示している。ＵはヘッドＡのソール部を接地した時の上側、ＬはヘッドＡのソール部を接地した時の下側を示している。
【００１１】
フェース部１には複数のスコアライン２と、複数の凸部３Ａおよび３Ｂ（総称するときは凸部３と呼ぶ）と、複数の凹部４とが形成されている。図２を参照してスコアライン２、凸部３および凹部４について説明する。図２はフェース部１のｄ１方向の部分断面図および拡大図であり、ｄ１方向に隣接するスコアライン２間の断面図を示している。
【００１２】
複数のスコアライン２は、互いに平行にｄ１方向に配列されている。各々のスコアライン２はｄ２方向に延設された直線状の溝である。本実施形態の場合、各々のスコアライン２の配設間隔（ピッチ）は等間隔（等ピッチ）であるが、配設間隔が異なっていてもよい。本実施形態において、スコアライン２の断面形状は、その長手方向の両端部（トウ側端部、ヒール側端部）を除き、同じである。また、各々のスコアライン２の断面形状は同じである。
【００１３】
スコアライン２は、一対の側壁（側部）２１と、底壁（底部）２２とを有し、その断面形状はｄ１方向の中心線に対して対称な台形状に形成されている。なお、スコアライン２の断面形状は台形状に限られず、Ｖ字状等、他の形状でもよい。スコアライン２の縁部２３には丸みが形成されている。丸みの半径は例えば、０．０５ｍｍ以上０．３ｍｍ以下である。スコアライン２の各縁部２３の縁端２４は基準面Ｓ０に含まれている。基準面Ｓ０は仮想の平坦面である。縁端２４は縁部２３の丸みのｄ１方向の端である。本実施形態における基準面Ｓ０を打撃面またはフェース面と呼ぶ場合がある。図２の矢印ｄ３はフェース部３の厚み方向を示し、基準面Ｓ０と直交する方向である。Ｆは基準面Ｓ０の外側、Ｂは基準面Ｓ０の内側（ヘッドのバック側。スコアライン２の底壁２２側。）を示している。
【００１４】
スコアライン２の深さ（底壁２２と基準面Ｓ０との距離）Ｄｓは０．３ｍｍ以上が好ましい。ゴルフクラブヘッドＡを競技用とする場合、ルールを充足する点で、深さＤｓは０．５ｍｍ以下とする。スコアライン２の幅（３０度測定法による幅）Ｗｓは０．６ｍｍ以上が好ましい。ゴルフクラブヘッドＡを競技用とする場合、ルールを充足する点で、幅Ｗｓは０．９ｍｍ以下とする。
【００１５】
凸部３および凹部４はスコアライン２と平行に延びている。隣接するスコアライン２間において凸部３と凹部４とはｄ１方向に交互に形成されている。換言すると、凹部４を形成した結果、隣接する凹部４間に凸部３が形成されている。凸部３として、本実施形態では二種類の凸部３Ａおよび凸部３Ｂが形成されている。凸部３のｄ１方向の配列に着目すると、隣接するスコアライン２間において凸部３Ａと凸部３Ｂとは交互に形成されている。したがって、凸部３と凸部４とはｄ１方向でみると、凸部３Ａ→凹部４→凸部３Ｂ→凹部４→凸部３Ａ→凹部４→凸部３Ｂ．．．と形成されている。
【００１６】
凸部３Ａと凸部３Ｂとは凹部４の底壁（底部）４１からの高さ（ｄ３方向の長さ）が異なっている。凹部４の底壁４１は仮想面Ｓ２上に位置している。仮想面Ｓ２は基準面Ｓ０と平行な平坦面であり、底壁４１は本実施形態の場合、平面である。仮想面Ｓ２は基準面Ｓ０に対してｄ３方向でバック側に位置している。
【００１７】
凸部３Ａの頂部３１Ａは基準面Ｓ０上に位置しており、凸部３Ｂの頂部３１Ｂは仮想面Ｓ１上に位置している。仮想面Ｓ１は基準面Ｓ０と平行な平坦面であり、ｄ３方向でみると仮想面Ｓ２と基準面Ｓ０との間に位置している。底壁４１に対する頂部３１Ａの高さ（基準面Ｓ０と仮想面Ｓ２との間隔）はＨ１であり、凸部３Ａはそれぞれ均一の高さを持っている。同様に、底壁４１に対する頂部３１Ｂの高さ（仮想面Ｓ１と仮想面Ｓ２との間隔）はＨ２（＜Ｈ１）であり、凸部３Ｂもそれぞれ均一の高さを持っている。高さＨ１は換言すると基準面Ｓ０に対する凹部４の深さである。ゴルフクラブヘッドＡを競技用とする場合、ルールを充足する点で、Ｈ１は２５μｍ以下とする。Ｈ１は１０μｍ以上が好ましく、Ｈ２は５μｍ以上１５μｍ以下が好ましい。なお、頂部３１Ａは基準面Ｓ０と平行な別の仮想面に位置していてもよく、この仮想面は基準面Ｓ０と仮想面Ｓ１との間に位置する仮想面であってもよい。
【００１８】
本実施形態の場合、凸部３Ａおよび凸部３Ｂならびに凹部４はｄ１方向の切断面の断面形状が矩形であり、その断面形状を換言すると隣接する凸部３Ａ間の矩形溝の底壁から凸部３Ｂが突出した形態を有している。凸部３Ａ、凹部４、凸部３Ｂの各幅ＷＡ、ＷＢ、ＷＣは、例えば、５０μｍ≦ＷＡ≦２００μｍ、５０μｍ≦ＷＢ≦２００μｍ、５０μｍ≦ＷＣ≦２００μｍである。
【００１９】
次に凸部３によるゴルフボールのスピン量のコントロール性について説明する。打撃時にゴルフボールはフェース部１の表面に押し潰されるように変形するが、打撃力が小さい場合（ヘッドスピードが遅い場合）の変形量は小さく、打撃力が大きい場合（ヘッドスピードが速い場合）の変形量は大きくなる。凸部３Ａと凸部３Ｂとは互いに凹部４の底壁（底部）４１との高低差が異なり、凸部３Ａはゴルフボールの変形量によってゴルフボールとの接触点が左程変化せず、ゴルフボールのスピン量増大に寄与する。一方、ゴルフボールの変形量が小さい場合は凸部３Ｂとゴルフボールとの接触点は少なくなり、逆にゴルフボールの変形量が大きい場合は凸部３Ｂとゴルフボールとの接触点は増加する。したがって、ヘッドスピードが遅い場合はスピン量が少なくなりヘッドスピードが速い場合はスピン量が多くなる。ゴルファーはヘッドスピードの調節で打球のスピン量を調節できる。したがって、本実施形態によれば、打球のスピン量をコントロールし易いゴルフクラブを提供することができる。
【００２０】
本実施形態の場合、凸部３Ａと凸部３Ｂとがｄ１方向での配置パターンはどのようなものであってもよいが、本実施形態では交互に配置されているので、フェース部１上のゴルフボールの打撃点にスピン量が左右され難く、スピン量のコントロール性を更に高めることができる。また、凸部３Ａおよび３Ｂの断面が矩形状であるので、その角部がゴルフボールにひっかかりやすく、より多くのスピン量を得られやすい。また、凹部の断面形状も矩形状であり、底壁４１が平坦面であるので、底壁４１での光の反射具合から芝などのごみが詰まっているか否かを判断し易く、そのメンテナンスのタイミングを視覚的に把握し易い。
【００２１】
凸部３および凹部４はレーザ加工や切削加工により形成することができる。図３（Ａ）はレーザ加工により凸部３および凹部４を形成する装置を例示している。図３（Ａ）に示すように、凸部３および凹部４を未形成の一次成形品Ａ'は、治具１００を介して不図示の加工装置に固定される。加工装置はレーザ光の照射部１０１を有する。そして、フェース部１に照射部１０１によりレーザ光を照射しながら、フェース部１（一次成形品Ａ'）又は照射部１０１をｄ２方向に相対的に移動しながら、凸部３および凹部４を形成する。一次成形品Ａ’はスコアライン２が形成されたものであってもよいし、スコアライン２を凸部３および凹部４と共にレーザ加工により形成してもよい。
【００２２】
図３（Ｂ）はＮＣフライス盤により切削加工を行う場合の説明図である。凸部３および凹部４を未形成の一次成形品Ａ'は、治具１００を介してＮＣフライス盤に固定される。ＮＣフライス盤は、Ｚ軸回りに回転駆動されるスピンドル１０２を有し、スピンドル１０２の下端には切削ツール（エンドミル）１０３が取り付けられている。フェース部１（一次成形品Ａ’）又は切削ツール１０３を、ｄ２方向に相対的に移動しながら、凸部３および凹部４を形成する。一次成形品Ａ’はスコアライン２が形成されたものであってもよいし、スコアライン２を凸部３および凹部４と共に切削加工により形成してもよい。
【００２３】
なお、凸部３および凹部４の形成後、フェース部１の硬度を硬くする表面処理を行うことが好ましい。このような表面処理としては、浸炭処理、窒化処理、軟窒化処理、ＰＶＤ（Physical Vapor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【００２４】
＜第二実施形態＞
第一実施形態では凸部３を二種類としたが三種類以上としてもよい。図４は仮想面Ｓ２からの高さが異なる三種類の凸部３Ａ〜凸部３Ｃを形成した例を図示している。凸部３のｄ１方向の配列に着目すると、隣接するスコアライン２間において凸部３Ａ〜３Ｃは一定の順序で配列されている。本実施形態の場合、凸部３Ａと凸部３Ｂおよび凸部３Ｃとが交互に形成されており、凸部３Ｂと凸部３Ｃとは互いに交互に配列されている。したがって、凸部３と凹部４とはｄ１方向でみると、凸部３Ａ→凹部４→凸部３Ｂ→凹部４→凸部３Ａ→凹部４→凸部３Ｃ．．．と形成されている。
【００２５】
凸部３Ａ〜凸部３Ｃは凹部４の底壁（底部）４１からの高さ（ｄ３方向の長さ）が異なっている。凸部３Ａの頂部３１Ａは基準面Ｓ０上に位置しており、凸部３Ｂの頂部３１Ｂは仮想面Ｓ１上に位置しており、凸部３Ｃの頂部３１Ｃは仮想面Ｓ３上に位置している。仮想面Ｓ３は基準面Ｓ０と平行な平坦面であり、ｄ３方向でみると仮想面Ｓ１と基準面Ｓ０との間に位置している。底壁４１に対する頂部３１Ａの高さ（基準面Ｓ０と仮想面Ｓ２との間隔）はＨ１であり、底壁４１に対する頂部３１Ｂの高さ（仮想面Ｓ１と仮想面Ｓ２との間隔）はＨ２（＜Ｈ１）であり、底壁４１に対する頂部３１Ｃの高さ（仮想面Ｓ３と仮想面Ｓ２との間隔）はＨ３（＜Ｈ１、かつ、＞Ｈ２）であり、凸部３Ｃはそれぞれ均一の高さを持っている。Ｈ１は１０μｍ以上２５μｍ以下が好ましく、Ｈ２は５μｍ以上１５μｍ以下が好ましく、Ｈ３は１０μｍ以上２０μｍ以下が好ましい。なお、頂部３１Ａは基準面Ｓ０と平行な別の仮想面に位置していてもよく、この仮想面は基準面Ｓ０と仮想面Ｓ３との間に位置する仮想面であってもよい。
【００２６】
本実施形態では、第一実施形態よりもスピン量のコントロールを多段階で調整可能である。ゴルフボールの変形量が小さい場合は凸部３Ｂおよび凸部３Ｃとゴルフボールとの接触点は少なくなり、ゴルフボールの変形量が中程度の場合は凸部３Ｃとゴルフボールとの接点は増加し、凸部３Ｂとゴルフボールとの接点は余り変わらない。ゴルフボールの変形量が大きい場合は凸部３Ｂおよび凸部３Ｃとゴルフボールとの接触点は増加する。
【００２７】
したがって、ヘッドスピードが遅い場合はスピン量が少なくなり、ヘッドスピードが中程度の場合はスピン量がやや多くなり、ヘッドスピードが速い場合はスピン量が多くなる。ゴルファーはヘッドスピードの調節で打球のスピン量を調節できる。
【００２８】
＜第三実施形態＞
第一実施形態では凸部３および凹部４の断面形状を矩形状としたが、他の形状であってもよい。図５はその一例を示す。同図の例では凸部３が凸部３Ａと凸部３Ｂの二種類あり、互いに高さおよび断面形状が異なっている。凸部３Ａの断面形状は台形状あるいは山形状であり、凸部３Ｂの断面形状は半楕円形状である。凹部４の断面形状は交互に左右が反転したくちばし形状をなしている。
【００２９】
＜第四実施形態＞
第一実施形態では、基準面Ｓ０からｄ３方向でバック側に凸部３および凹部４を形成したが、基準面Ｓ０からｄ３方向で基準面Ｓ０の外側に形成されてもよい。図６はその一例を示す。同図の例では凸部３が凸部３Ａと凸部３Ｂの二種類あり、互いに高さが異なっている。断面形状は矩形状である。凸部３Ａおよび凸部３Ｂは、基準面Ｓ０からｄ３方向で外側に突出している。凹部４の断面形状は矩形状である。
【００３０】
凸部３Ａの頂部は仮想面Ｓ１１上に位置し、凸部３Ｂの頂部は仮想面Ｓ１２上に位置している。凹部４の底部は基準面Ｓ０上に位置している。仮想面Ｓ１１および仮想面Ｓ１２は基準面Ｓ０と平行であり、基準面Ｓ０からｄ３方向で外側に位置している。仮想面Ｓ１２は、仮想面Ｓ１１と基準面Ｓ０との間に位置している。凸部３Ａおよび凸部３Ｂの高さ等については第一実施形態と同様にすることができる。
【００３１】
＜他の実施形態＞
複数の上記実施形態を組み合わせることも可能である。
【符号の説明】
【００３２】
Ａ  ゴルフクラブヘッド、１  フェース部、２  スコアライン、３  凸部、４  凹部
【図１】
2018183437.tif 000003
【図２】
2018183437.tif 000004
【図３】
2018183437.tif 000005
【図４】
2018183437.tif 000006
【図５】
2018183437.tif 000007
【図６】
2018183437.tif 000008